(57)【特許請求の範囲】
【請求項１】
一対の支持フレームを備えた架台によって所定の高さ位置に設置された室外機にドレンパンを取り付けるためのドレンパン取付装置であって、
前記ドレンパンの左右方向に所定の間隔を隔てて設けられ、前記ドレンパンの前後方向に沿って架け渡される一対の架設バーと、
前記架設バーのそれぞれを引っ掛けて前記室外機の下方に前記ドレンパンを吊り下げる一対の取付金具と、を有し、
前記取付金具のそれぞれは、
前記室外機の下面と前記支持フレームの上面との隙間に差し込まれる差込プレートと、
前記差込プレートの側端縁部から垂下される垂下プレートと、
前記垂下プレートの下端縁部から互いに同じ方向に向けてフック状に形成され、前記架設バーを引っ掛けて保持する保持フックと、
を有し、
前記差込プレートのそれぞれには、前記室外機を前記支持フレームに固定する固定ボルトのボルト径以上の溝幅を有する凹状溝が、前記差込プレートの前端縁部または後端縁部のいずれかに揃えて設けられている、ドレンパン取付装置。
【請求項２】
前記垂下プレートの前端縁部および後端縁部は、上端縁部から下端縁部にかけて、前記凹状溝が設けられた端縁部とは反対側に向かって傾斜されている、請求項１に記載のドレンパン取付装置。
【請求項３】
前記架設バーは断面略四角形状に形成されているとともに、
前記保持フックは断面略Ｌ字形状に形成されており、前記垂下プレートとの間で前記架設バーを嵌合させる嵌合凹部を構成する、請求項１または請求項２に記載のドレンパン取付装置。
【請求項４】
前記ドレンパンに請求項１から請求項３のいずれかに記載のドレンパン取付装置を備えたドレンパン構造体。
【請求項５】
前記ドレンパンの側板のうち、前面側の側板と後面側の側板の上端縁部には、左右方向に所定の間隔を隔てて二対の取付片が上方へ突出形成されており、前記取付片のそれぞれには、前記架設バーの両端部を固定するための貫通孔が左右方向に複数設けられている、請求項４に記載のドレンパン構造体。
【請求項６】
前記ドレンパンの底板は排水口に向けて下向きに傾斜されている、請求項４または請求項５に記載のドレンパン構造体。
【請求項７】
請求項１から請求項３のいずれかに記載のドレンパン取付装置を用いて、一対の支持フレームを備えた架台によって所定の高さ位置に設置された室外機にドレンパンを取り付けるドレンパン取付方法であって、
前記室外機の下面と各支持フレームの上面との隙間に各取付金具の差込プレートを差し込む差込プレート差込工程と、
各差込プレートを差し込んだまま固定ボルトを締め付け、前記室外機を前記支持フレームに固定する室外機固定工程と、
前記保持フックのそれぞれに架設バーを引っ掛けて前記ドレンパンを取り付けるドレンパン取付工程と、
を有する、ドレンパン取付方法。
【請求項８】
前記差込プレート差込工程の後、前記凹状溝に沿って各取付金具を前後方向にスライドさせる取付金具スライド工程を有する、請求項７に記載のドレンパン取付方法。
【発明の詳細な説明】
【技術分野】
【０００１】
本発明は、エアコン等の室外機にドレンパンを取り付けるためのドレンパン取付装置およびドレンパン取付方法に関し、特に、架台によって所定の高さ位置に設置された室外機にドレンパンを後付け施工するのに好適なものである。
【背景技術】
【０００２】
従来、積雪のある寒冷地域に室外機を設置する際には、雪に埋もれて空調機能が低下するのを防止するため、例えば、特開２００２−３３３１６４号公報（特許文献１）や特開２０１６−３３４２８号公報（特許文献２）に記載されているような架台を用いて、地面からある程度高い位置に室外機を設置するケースが多い。
【０００３】
また、従来、室外機から排出されるドレン水の垂れ流しを防止するため、ドレン水の受け皿となるドレンパンを室外機の下方に取り付けることも一般的である。特に、人目に付く路面等にドレン水が流れ出すと美観や清潔さが損なわれる上、寒冷地では、つるつるに凍結して危険であるため、ドレンパンを取り付けるケースは多い。
【先行技術文献】
【特許文献】
【０００４】
【特許文献１】特開２００２−３３３１６４号公報
【特許文献２】特開２０１６−３３４２８号公報
【発明の概要】
【発明が解決しようとする課題】
【０００５】
しかしながら、ドレンパンが取り付けられていない既設の室外機に、後からドレンパンを取り付けるには、一旦、重たい室外機を架台から下ろした後、架台にドレンパンを取り付け、再度、重たい室外機を架台上に持ち上げて設置する、という大がかりな作業が必要となる。このため、ドレンパンの後付け作業には、複数の作業員が必要となる上、作業時間がかかるという問題がある。
【０００６】
本発明は、このような問題点を解決するためになされたものであって、簡単かつ迅速に既設の室外機にドレンパンを後付け施工することができるドレンパン取付装置およびドレンパン取付方法を提供することを目的としている。
【課題を解決するための手段】
【０００７】
本発明に係るドレンパン取付装置は、簡単かつ迅速に既設の室外機にドレンパンを後付け施工するという課題を解決するために、一対の支持フレームを備えた架台によって所定の高さ位置に設置された室外機にドレンパンを取り付けるためのドレンパン取付装置であって、前記ドレンパンの左右方向に所定の間隔を隔てて設けられ、前記ドレンパンの前後方向に沿って架け渡される一対の架設バーと、前記架設バーのそれぞれを引っ掛けて前記室外機の下方に前記ドレンパンを吊り下げる一対の取付金具と、を有し、前記取付金具のそれぞれは、前記室外機の下面と前記支持フレームの上面との隙間に差し込まれる差込プレートと、前記差込プレートの側端縁部から垂下される垂下プレートと、前記垂下プレートの下端縁部から互いに同じ方向に向けてフック状に形成され、前記架設バーを引っ掛けて保持する保持フックと、を有する。
【０００８】
また、本発明に係るドレンパン取付装置の一態様として、固定ボルトを完全に取り外すことなく差込プレートを組み付け、差込プレートが抜け落ちるのを防止するという課題を解決するために、前記差込プレートのそれぞれには、前記室外機を前記支持フレームに固定する固定ボルトのボルト径以上の溝幅を有する凹状溝が、前記差込プレートの前端縁部または後端縁部のいずれかに揃えて設けられていてもよい。
【０００９】
さらに、本発明に係るドレンパン取付装置の一態様として、室外機の直下近傍にドレンパンを配置するという課題を解決するために、前記垂下プレートは、上端縁部から下端縁部にかけて、前記凹状溝が設けられた端縁部とは反対側に向かって傾斜されていてもよい。
【００１０】
また、本発明に係るドレンパン取付装置の一態様として、ドレンパンのブレを抑制し安定的に保持するという課題を解決するために、前記架設バーは断面略四角形状に形成されているとともに、前記保持フックは断面略Ｌ字形状に形成されており、前記垂下プレートとの間で前記架設バーを嵌合させる嵌合凹部を構成してもよい。
【００１１】
また、本発明に係るドレンパン構造体は、前記ドレンパンに上述したドレンパン取付装置の態様のうち、いずれかに記載のドレンパン取付装置を備えたドレンパン構造体である。
【００１２】
また、本発明に係るドレンパン構造体の一態様として、室外機に合わせてドレンパンの左右位置を調整するという課題を解決するために、前記ドレンパンの側板のうち、前面側の側板と後面側の側板の上端縁部には、左右方向に所定の間隔を隔てて二対の取付片が上方へ突出形成されており、前記取付片のそれぞれには、前記架設バーの両端部を固定するための貫通孔が左右方向に複数設けられていてもよい。
【００１３】
また、本発明に係るドレンパン構造体の一態様として、ドレン水をスムーズに排水するという課題を解決するために、前記ドレンパンの底板は排水口に向けて下向きに傾斜されていてもよい。
【００１４】
本発明に係るドレンパン取付方法は、簡単かつ迅速に既設の室外機にドレンパンを後付け施工するという課題を解決するために、上述したドレンパン取付装置のうち、いずれかの態様を備えたドレンパン取付装置を用いて、一対の支持フレームを備えた架台によって所定の高さ位置に設置された室外機にドレンパンを取り付けるドレンパン取付方法であって、前記室外機の下面と各支持フレームの上面との隙間に各取付金具の差込プレートを差し込む差込プレート差込工程と、各差込プレートを差し込んだまま固定ボルトを締め付け、前記室外機を前記支持フレームに固定する室外機固定工程と、前記保持フックのそれぞれに架設バーを引っ掛けて前記ドレンパンを取り付けるドレンパン取付工程と、を有する。
【００１５】
また、本発明の一態様として、固定ボルトを完全に取り外すことなく差込プレートを組み付け、差込プレートが抜け落ちるのを防止するという課題を解決するために、前記差込プレート差込工程の後、前記凹状溝に沿って各取付金具を前後方向にスライドさせる取付金具スライド工程を有していてもよい。
【発明の効果】
【００１６】
本発明によれば、簡単かつ迅速に既設の室外機にドレンパンを後付け施工することができる。
【図面の簡単な説明】
【００１７】
【図１】本発明に係るドレンパン取付装置の一実施形態を示す図である。
【図２】本実施形態のドレンパンを示す斜視図である。
【図３】本実施形態の一対の取付金具を示す斜視図である。
【図４】ブラケットタイプの架台上に既設されている室外機を示す図である。
【図５】本実施形態の室外機傾斜工程を示す図である。
【図６】本実施形態の差込プレート差込工程を示す図である。
【図７】本実施形態の取付金具スライド工程において取付金具をスライドさせる前の状態を示す図である。
【図８】本実施形態の取付金具スライド工程において取付金具をスライドさせた後の状態を示す図である。
【図９】本実施形態の室外機固定工程を示す図である。
【図１０】本実施形態のドレンパン取付工程を示す図である。
【図１１】本実施形態のドレンパン取付装置によってドレンパンを取り付けた室外機を示す図である。
【図１２】本実施形態のドレンパン取付装置によって、平置きタイプの架台に既設された室外機にドレンパンを取り付けた状態を示す図である。
【発明を実施するための形態】
【００１８】
以下、本発明に係るドレンパン取付装置およびドレンパン取付方法の一実施形態について図面を用いて説明する。
【００１９】
本実施形態のドレンパン取付装置１は、図１に示すように、一対の支持フレーム１１，１１を備えた架台１０によって所定の高さ位置に設置された室外機１２にドレンパン１３を取り付けるためのものであり、ドレンパン１３に設けられる一対の架設バー２，２と、それら架設バー２，２のそれぞれを引っ掛けることにより、室外機の下方にドレンパン１３を吊り下げる一対の取付金具３，３とを有している。以下、各構成について説明する。
【００２０】
なお、本実施形態において、ドレンパン１３は、図２に示すように、右端側から左端側にかけて下向きに傾斜され排水口１３３を備えた底板１３１と、当該底板１３１の端縁部から略垂直に立ち上げられた４枚の側板１３２とから構成されている。また、本実施形態では、ドレンパン１３の長手方向を左右方向とし、当該左右方向に直交する方向を前後方向というものとする。
【００２１】
一対の架設バー２，２は、一対の取付金具３，３によって引っ掛けられてドレンパン１３を保持させるものである。本実施形態において、一対の架設バー２，２は、図２に示すように、ドレンパン１３の左右方向に所定の間隔を隔てて設けられ、ドレンパン１３の前後方向に沿って架け渡されている。また、本実施形態において、一対の架設バー２，２は、断面略四角形状の角棒によって構成されており、その両端部がドレンパン１３の側板１３２に固定されている。
【００２２】
具体的には、図２に示すように、ドレンパン１３の側板１３２のうち、前面側の側板１３２と後面側の側板１３２の上端縁部には、左右方向に所定の間隔を隔てて二対の取付片１３４が上方へ突出形成されている。そして、各取付片１３４には、架設バー２の両端部をネジで固定するための貫通孔１３５が左右方向に複数設けられており、室外機１２に合わせてドレンパン１３の左右位置を調整しうるようになっている。
【００２３】
一対の取付金具３，３は、架設バー２，２のそれぞれを引っ掛けて室外機１２の下方にドレンパン１３を吊り下げて取り付けるものである。本実施形態において、各取付金具３は、図３に示すように、室外機１２の下面と支持フレーム１１の上面との隙間に差し込まれる差込プレート３１と、差込プレート３１の側端縁部から垂下される垂下プレート３２と、垂下プレート３２の下端縁部から互いに同じ方向に向けてフック状に形成される保持フック３３とから構成されている。
【００２４】
差込プレート３１のそれぞれには、図３に示すように、室外機１２を支持フレーム１１に固定する固定ボルト１４のボルト径以上の溝幅を有する凹状溝３１１が、差込プレート３１の前端縁部に揃えて設けられている。なお、本実施形態では、後述するとおり、差込プレート３１を差し込む際に室外機１２を後方に傾斜させるため、差込プレート３１の前端縁部に凹状溝３１１を設けているが、この構成に限定されるものではなく、室外機１２を前方に傾斜させる場合には、凹状溝３１１を後端縁部に揃えて設けてもよい。
【００２５】
また、本実施形態では、図５に示すように、室外機１２と支持フレーム１１とが前後２本の固定ボルト１４によって固定されている。このため、差込プレート３１の前後方向長さは、各固定ボルト１４の間隔よりも短く形成されている。さらに、本実施形態では、垂下プレート３２の裏面にクッション材（図示せず）が設けられており、室外機１２の騒音や振動等を抑制するようになっている。
【００２６】
垂下プレート３２は、図３に示すように、上端縁部から下端縁部にかけて後方に向かって傾斜されている。なお、本実施形態では、後述するとおり、凹状溝３１１に沿って取付金具３を前方へスライドさせるため、垂下プレート３２を後方へ傾斜させているが、この構成に限定されるものではなく、取付金具３を後方へスライドさせる場合には、垂下プレート３２を前方へ傾斜させていもよい。すなわち、垂下プレート３２は、凹状溝３１１が設けられた端縁部とは反対側に向かって傾斜させることで、前後方向におけるドレンパン１３の位置を室外機１２の直下へ調整しうるようになっている。
【００２７】
保持フック３３は、図３に示すように、垂下プレート３２の下端縁部から互いに同じ方向に向けて設けられている。これにより、後述するとおり、ドレンパン１３に架設バー２を固定した状態であっても、保持フック３３のそれぞれに架設バー２を同時に引っ掛けることが可能となる。また、本実施形態において、保持フック３３は断面略Ｌ字形状に形成されており、垂下プレート３２との間で架設バー２を嵌合させる嵌合凹部３４を構成するようになっている。
【００２８】
つぎに、本実施形態のドレンパン取付装置１の作用、およびドレンパン取付装置１を用いたドレンパン取付方法について説明する。
【００２９】
なお、本実施形態では、図４に示すように、壁面に固定されたブラケットタイプの架台１０上に載置され所定の高さ位置に既設されている室外機１２にドレンパン１３を後付け施工する例について説明する。しかしながら、新たに設置された室外機１２に対してドレンパン１３を取り付ける際にも同様に施工可能である。
【００３０】
まず、図５に示すように、室外機１２の前方二箇所に締結されている固定ボルト１４とナットを緩め、室外機１２を後方へ押すようにして傾斜させる（室外機傾斜工程）。これにより、室外機１２の前方側が浮き上がるため、室外機１２の下面と支持フレーム１１の上面との間には、差込プレート３１を差し込むための隙間が形成される。また、この室外機傾斜工程は、ナットを緩めて室外機１２を押すだけでよく、室外機１２の上げ下ろしが不要のため、作業員が一人でも簡単かつ迅速に実行しうる。
【００３１】
つぎに、図６に示すように、室外機１２の下面と各支持フレーム１１の上面との間に形成された隙間のそれぞれに、各取付金具３の差込プレート３１を差し込む（差込プレート差込工程）。これにより、各取付金具３，３が各支持フレーム１１，１１に引っ掛けられた状態となる。
【００３２】
また、本実施形態では、上記差込プレート差込工程の後、図７に示すように、凹状溝３１１に沿って各取付金具３を前方向にスライドさせる（取付金具スライド工程）。これにより、固定ボルト１４を完全に取り外すことなく差込プレート３１が組み付けられる。また、各取付金具３に左右方向の力がかかっても、凹状溝３１１が固定ボルト１４に当接するため、差込プレート３１が抜け落ちるのを防止する。
【００３３】
また、本実施形態では、図７に示すように、各垂下プレート３２が上端縁部から下端縁部にかけて後方向に傾斜されている。このため、各取付金具３を前方向にスライドさせると、図８に示すように、前後方向におけるドレンパン１３の位置が室外機１２の直下近傍へ調整されるため、ドレン水が漏れなく受け止められる。
【００３４】
なお、本実施形態では、図７および図８に示すように、室外機１２を支持フレーム１１に固定するための固定用切片１２１が、室外機１２の下端部における前後面から二つずつ略水平方向に突出されている。そして、これら固定用切片１２１と支持フレーム１１との間には、絶縁用または防振用のゴム部材１５が挟持されている。このため、取付金具スライド工程では、差込プレート３１がゴム部材１５と支持フレーム１１との間に挟まれるようにスライドさせる。
【００３５】
つづいて、図９に示すように、室外機１２の傾斜を元に戻した後、差込プレート３１を差し込んだまま固定ボルト１４を締め付け、室外機１２を支持フレーム１１に固定する（室外機固定工程）。これにより、ゴム部材１５と支持フレーム１１との間に挟持された差込プレート３１が一体的に固定されるため、各取付金具３が支持フレーム１１のそれぞれに取り付けられる。
【００３６】
なお、本実施形態では、差込プレート３１に凹状溝３１１を設けてスライドさせているが、この構成に限定されるものではない。例えば、差込プレート３１の側端縁部のうち、垂下プレート３２が設けられていない側の側端縁部からも短めのプレートを垂下させ、支持フレーム１１に引っ掛けることで脱落を防止してもよい。あるいは、上述した室外機固定工程において、室外機１２の下面と差込プレート３１との間に別途、ゴムシート等を挟み込むことで差込プレート３１を強固に挟持しうるのであれば、凹状溝３１１を設けてスライドさせなくてもよい。
【００３７】
最後に、図１０に示すように、各支持フレーム１１に取り付けられた取付金具３の保持フック３３のそれぞれに、架設バー２を引っ掛けてドレンパン１３を取り付ける（ドレンパン取付工程）。このとき、各取付金具３の保持フック３３が互いに同じ方向に向けられているため、ドレンパン１３の架設バー２を固定したままでも同時に引っ掛けられる。また、一旦、保持フック３３にドレンパン１３を引っ掛けると、作業員は手を放すことができる。このため、その後の取付金具３と架設バー２との固定作業等も含めて全て一人で施工することが可能である。
【００３８】
また、本実施形態では、断面略Ｌ字形状の保持フック３３が、垂下プレート３２との間で嵌合凹部３４を構成するため、断面略四角形状の架設バー２を緊密に嵌合させる。このため、ドレンパン１３のブレが抑制され安定的に保持される。以上の工程により、図１１に示すように、既設されている室外機１２に対しても、ドレンパン１３を後付け施工することが可能となる。
【００３９】
以上のような本実施形態によれば、以下のような効果を奏する。
１．新設する室外機１２にドレンパン１３を取り付けられることはもとより、簡単かつ迅速に既設の室外機１２にドレンパン１３を後付け施工することができる。
２．固定ボルト１４を完全に取り外すことなく差込プレート３１を組み付け、差込プレート３１が抜け落ちるのを防止することができる。
３．室外機１２の直下近傍にドレンパン１３を配置することができる。
４．ドレンパン１３のブレを抑制し安定的に保持することができる。
【００４０】
なお、本発明に係るドレンパン取付装置１およびドレンパン取付方法は、前述した実施形態に限定されるものではなく、適宜変更することができる。
【００４１】
例えば、上述した本実施形態では、作業員が一人でも施工できるようにするため、架設バー２を取り付けたドレンパン１３と、取付金具３とを別体にしているが、この構成に限定されるものではない。すなわち、作業員を複数人確保できる場合には、予め架設バー２と取付金具３とを固定して一体化し、ドレンパン１３にドレンパン取付装置１を備えたドレンパン構造体として構成してもよい。
【００４２】
また、上述した本実施形態では、ブラケットタイプの架台１０に既設された室外機１２に後付け施工する例について説明したが、この構成に限定されるものではない。本実施形態のドレンパン取付装置１によれば、図１２に示すように、平置きタイプの架台１０に既設された室外機１２に対しても、同様にドレンパン１３を後付け施工することができる。
【００４３】
さらに、上述した本実施形態では、ドレンパン１３の底板１３１が、排水口１３３のある左端部にかけて下向きに傾斜されたドレンパン１８を使用しているが、この構成に限定されるものではなく、室外機１２が設置される現場に応じて、様々な形状のドレンパン１８を使用することができる。例えば、左右端部から中央部の排水口１３３にかけて下向きに傾斜されていてもよく、後端部から前端部の排水口１３３にかけて下向きに傾斜されていてもよく、左右方向および前後方向の双方において排水口１３３に向けて複合的に下向きに傾斜されていてもよい。すなわち、ドレンパン１３の底板１３１は、スムーズにドレン水を排水できるように、排水口１３３に向けて下向きに傾斜されていればよい。
【符号の説明】
【００４４】
１  ドレンパン取付装置
２  架設バー
３  取付金具
１０  架台
１１  支持フレーム
１２  室外機
１３  ドレンパン
１４  固定ボルト
１５  ゴム部材
３１  差込プレート
３２  垂下プレート
３３  保持フック
３４  嵌合凹部
１２１  固定用切片
１３１  底板
１３２  側板
１３３  排水口
１３４  取付片
１３５  貫通孔
３１１  凹状溝
【要約】
【課題】  簡単かつ迅速に既設の室外機にドレンパンを後付け施工することができるドレンパン取付装置およびドレンパン取付方法を提供する。
【解決手段】  一対の支持フレーム１１を備えた架台１０によって所定の高さ位置に設置された室外機１２にドレンパン１３を取り付けるためのドレンパン取付装置１であって、ドレンパン１３の左右方向に所定の間隔を隔てて設けられ、ドレンパン１３の前後方向に沿って架け渡される一対の架設バー２と、架設バー２のそれぞれを引っ掛けて室外機１２の下方にドレンパン１３を取り付ける一対の取付金具３と、を有する。
【選択図】      図１【図１】
0006780834.tif 000002
【図２】
0006780834.tif 000003
【図３】
0006780834.tif 000004
【図４】
0006780834.tif 000005
【図５】
0006780834.tif 000006
【図６】
0006780834.tif 000007
【図７】
0006780834.tif 000008
【図８】
0006780834.tif 000009
【図９】
0006780834.tif 000010
【図１０】
0006780834.tif 000011
【図１１】
0006780834.tif 000012
【図１２】
0006780834.tif 000013